(57)【特許請求の範囲】
【請求項１】
生地の各部の織密度を異ならせて製織して脚関節を外回転させる回転力を生じさせるズボンであって、
下腹部から下方に進むにつれて大腿部の外回転方向に螺旋状に回転しつつ膝蓋骨の上端まで延び、右脚を、上から下を見て時計まわり方向に回転させ、左脚を、上から下を見て反時計まわりに回転させる大腿部回転バンド（１０６ａ）を備え、
前記大腿部回転バンド（１０６ａ）は、前記ズボンの他の領域に比べて相対的に高い織密度を有するように製織されることを特徴とする、体形矯正用ズボン。
【請求項２】
前記膝蓋骨の下端から下方に進むにつれてふくら脛の外回転方向に螺旋状に回転しつつふくら脛の中央部まで延びるふくら脛回転バンド（１０６ｃ）をさらに備え、
前記ふくら脛回転バンド（１０６ｃ）は、前記大腿部回転バンド（１０６ａ）に比べて相対的に高い織密度を有するように製織されることを特徴とする、請求項１に記載の体形矯正用ズボン。
【請求項３】
下腹部から下後方に向けて左右に延びて尻の下方において互いに連結され、大臀筋の下端部を支持する大臀筋支持バンド（１０２）をさらに備え、
前記大臀筋支持バンド（１０２）において、下腹部側にある前方の大臀筋支持バンド（１０２ａ）よりも、尻の下方にある後方の大臀筋支持バンド（１０２ｂ）の方が相対的に高い織密度を有するように製織されることを特徴とする、請求項１に記載の体形矯正用ズボン。
【請求項４】
尻の上方から前方に向けて左右に延びて中臀筋を包囲し、末端が前方の大腿部回転バンド（１０６ａ）の一方の側に連結される中臀筋回転バンド（１０８）をさらに備え、
前記中臀筋回転バンド（１０８）において、身体の前側面にある前方の中臀筋回転バンド（１０８ａ）よりも、尻の上方にある後方の中臀筋回転バンド（１０８ｂ）の方が相対的に高い織密度を有するように製織されることを特徴とする、請求項３に記載の体形矯正用ズボン。
【請求項５】
前記膝蓋骨の周りをひし形、六角形または円形のうちのいずれかの形状に包囲する膝支持バンド（１１０）をさらに備え、
前記膝支持バンド（１１０）は、前記大腿部回転バンド（１０６ａ）に比べて相対的に高い織密度を有し、且つ、前記ふくら脛回転バンド（１０６ｃ）に比べて相対的に低い織密度を有するように製織されることを特徴とする、請求項１に記載の体形矯正用ズボン。
【請求項６】
前記膝支持バンド（１１０）の上端から外回転方向に螺旋状に回転しつつ前記膝支持バンド（１１０）の下端まで連結される後膝支持バンド（１０６ｂ）をさらに備え、
前記後膝支持バンド（１０６ｂ）は、前記膝支持バンド（１１０）と同じ織密度を有するように製織されることを特徴とする、請求項５に記載の体形矯正用ズボン。
【発明の詳細な説明】
【技術分野】
【０００１】
本発明は体形矯正用ズボンに係り、さらに詳しくは、ズボンの各部の織密度を異ならせて着用者の脚を骨盤を中心として外回転させる力を生じさせることにより、Ｏ脚などの弓脚を矯正することができる体形矯正用ズボンに関する。
【背景技術】
【０００２】
正常脚は、大腿骨と脛骨とが理想的な角度をなし、且つ、膝関節の左右間隔がバランスを取らなければならないが、韓国人のほとんどは股関節と膝関節が互いにずれて「Ｏ」字状脚などの弓脚を有することとなる。
【０００３】
弓脚は遺伝や人種間の違いとも関係があり、疾病による場合もあるが、その原因が未だはっきりと判明していないのが現状である。ところが、先天的な原因よりは、後天的な原因の方が一層大きな影響を及ぼし、後天的な原因のうち一番重要なのは、幼いところのおんぶする習慣や、運動不足、老化、誤った歩行習慣など生活習慣や姿勢であることが判明している。特に、東洋人によく見られる座式生活は、骨盤の傍にある股関節の内回転変形を引き起こすため、西洋人よりも東洋人に弓脚が一層多く見られることとなる。
【０００４】
このように、弓脚、特に、「Ｏ」字脚になれば、見掛けも悪いだけではなく、起立姿勢や歩行姿勢が不安定になり、膝関節の外側間隔は広がり、関節の内側間隔は狭まって潤滑作用を行う膝内側軟骨の摩擦圧力が高くなる結果、退行性関節炎になり易いという不都合が発生してしまう。
【０００５】
このため、「Ｏ」字脚を矯正することは、見掛け上および健康上にも高い関心の対象となり、これを矯正するための様々な方法が紹介される。まず、典型的な方法としては、弓脚矯正手術をしたり、補正機または矯正機を用いて弓脚を矯正することが挙げられる。
【０００６】
しかしながら、弓脚矯正手術や補正機または矯正機を用いた弓脚の矯正には、副作用や、手術時に心理的ストレスを受ける虞があり、コストも高くつくという不都合がある。より簡単な方法として、脚を束ねるベルトによる方法があるが、単に膝のみを膝の内方に押し付けるため、股関節の内回転変形を矯正することには何ら役に立たない。
【０００７】
靴底に敷く中底や靴下は、下肢の体重軸を簡単に矯正することにより、弓脚をある程度矯正（補正）することができるものの、中底や靴下の場合、履物や靴下を履いているときにしか効果が得られないという問題点がある。すなわち、これは、弓脚の矯正ではなく、着用時の一時的な補正効果であるといえる。弓脚の矯正のための初期の効果を得るためには、人体の３次元的な整列を矯める必要があるため、１次元または２次元的なベルト、中底、靴下によってはその矯正の効果があまり得られなくなる。
【０００８】
大腿部の内回転を矯めて弓脚を矯正するための技術として、大韓民国公開特許第２０００−００５３７３３号に「体形校正方法および道具」が開示されている。
【０００９】
図１は、従来の技術による体形固定装置を示す図である。図１によれば、従来の技術による体形矯正具は、腕や脚に広幅弾力バンドを螺旋状に巻き付けてベッドのマトリックスの上に横たわって身体に回転力を生じさせる方法により体形を矯正する。
【００１０】
しかしながら、この方法は、毎回矯正のために弾力バンドを身体に巻き付けることを余儀なくされ、特殊に製作されたベッドの上に横たわって運動をしなければ、矯正がなされないため、一般人が日常生活を営む中での使い勝手は悪かった。
【発明の概要】
【発明が解決しようとする課題】
【００１１】
本発明は上記事情に鑑みてなされたものであり、その目的は、ズボンの生地の各部の織密度を異ならせて製織して大腿骨と脛骨が外回転し得る回転力を生じさせ、前傾の骨盤を立てることにより、ズボンを履いて生活する間におのずと「Ｏ」字脚などの弓脚と傾いた骨盤を手軽に矯正することのできる体形矯正用ズボンを提供するところにある。
【００１２】
また、本発明の他の目的は、筋肉を絶えず外回転運動させてズボンを履いていないときにも体形矯正効果が持続的に得られる体形矯正用ズボンを提供するところにある。
【課題を解決するための手段】
【００１３】
上述した問題点を解消するための本発明に係る体形矯正用ズボンは、生地の各部の織密度を異ならせて製織して脚関節を外回転させる回転力を生じさせるズボンであって、下腹部から下方に進むにつれて大腿部の外回転方向に螺旋状に回転しつつ膝蓋骨の上端まで延び、右脚を、上から下を見て時計まわり方向に回転させ、左脚を、上から下を見て反時計まわりに回転させる大腿部回転バンド１０６ａと、前記膝蓋骨の下端から下方に進むにつれてふくら脛の外回転方向に螺旋状に回転しつつふくら脛の中央部まで延びるふくら脛回転バンド１０６ｃと、を備え、前記大腿部回転バンド１０６ａは、前記ズボンの他の領域に比べて相対的に高い織密度を有するように製織され、前記ふくら脛回転バンド１０６ｃは、前記大腿部回転バンド１０６ａに比べて相対的に高い織密度を有するように製織されることを特徴とする。
【００１４】
本発明の他の実施形態による体形矯正用ズボンは、生地の各部の織密度を異ならせて製織して脚関節を外回転させる回転力を生じさせるズボンであって、下腹部から下方に進むにつれて大腿部の外回転方向に螺旋状に回転しつつ膝蓋骨の上端まで延びる大腿部回転バンド１０６ａと、下腹部から下後方に向けて左右に延びて尻の下方において互いに連結され、大臀筋の下端部を支持する大臀筋支持バンド１０２と、を備え、前記大腿部回転バンド１０６ａは、前記ズボンの他の領域に比べて相対的に高い織密度を有するように製織され、前記大臀筋支持バンド１０２において、下腹部側にある前方の大臀筋支持バンド１０２ａよりも、尻の下方にある後方の大臀筋支持バンド１０２ｂの方が相対的に高い織密度を有するように製織される。
【００１５】
本発明に係る体形矯正用ズボンは、尻の上方から前方に向けて左右に延びて中臀筋を包囲し、末端が前方の大腿部回転バンド１０６ａの一方の側に連結される中臀筋回転バンド１０８をさらに備え、前記中臀筋回転バンド１０８において、身体の前側面にある前方の中臀筋回転バンド１０８ａよりも、尻の上方にある後方の中臀筋回転バンド１０８ｂの方が相対的に高い織密度を有するように製織されることを特徴とする。
【００１６】
本発明に係る体形矯正用ズボンは、前記膝蓋骨の周りをひし形、六角形または円形のうちのいずれかの形状に包囲する膝支持バンド１１０をさらに備え、前記膝支持バンド１１０は、前記大腿部回転バンド１０６ａに比べて相対的に高い織密度を有し、且つ、前記ふくら脛回転バンド１０６ｃに比べて相対的に低い織密度を有するように製織されることを特徴とする。
【００１７】
本発明に係る体形矯正用ズボンは、前記膝支持バンド１１０の上端から外回転方向に螺旋状に回転しつつ前記膝支持バンド１１０の下端まで連結される後膝支持バンド１０６ｂをさらに備え、前記後膝支持バンド１０６ｂは、前記膝支持バンド１１０と同じ織密度を有するように製織されることを特徴とする。
【発明の効果】
【００１８】
本発明によれば、日頃から日常生活を営む中で、Ｏ脚などの弓脚を簡単に矯正することができ、前傾の骨盤を立て直し、しかも、脚関節を真っすぐな姿勢に維持することにより、関節炎や軟骨老化を防ぐことができるという効果がある。
【００１９】
また、本発明によれば、脚が真っすぐに伸びて見掛け上良い印象を与えることができる。
【図面の簡単な説明】
【００２０】
【図１】従来の技術による体形固定装置を示す図である。
【図２】大腿部筋肉の構造を示す解剖図である。
【図３】本発明の実施形態による体形矯正用ズボンの構造を示す正面図である。
【図４】図３のズボンの構造を示す背面図である。
【図５】ズボンの回転方向を示す正面図である。
【図６】ズボンの回転方向を示す背面図である。
【図７】着用者の歩行中の外回転運動方向を示す側面図である。
【発明を実施するための形態】
【００２１】
以下、添付図面に基づき、本発明の実施形態による体形矯正用ズボンを説明する。
【００２２】
図２は、大腿部筋肉の構造を示す解剖図である。
大腿の上部には、大腿骨を外回転させる大臀筋が尾骨を中心として斜め下方に左右に連結される。また、同様に、大臀筋の上部には、中臀筋が斜め下方に位置している。
大臀筋は、骨盤の背面にある外骨筋の一つであり、臀筋の中で最も大きく、臀部の
最表層にあり、結合組織が内部に入り込んで複数本に分岐している。
【００２３】
この筋肉は、下肢を後方に引っ張る働きをし、下肢を固定する他、骨盤と体幹を後方に引っ張って真っすぐに立てる。このため、この筋肉は、直立姿勢を取るときに重要な役割を果たす。また、腸腰筋の対抗筋としての大臀筋は股関節の伸展筋であるのに対し、腸腰筋はその屈筋であり、下肢を昇降するのに両者が交互に働く。
【００２４】
大臀筋および中臀筋は大腿骨の外回転筋であり、大臀筋および中臀筋に力を加えて外回転させる場合、大腿骨および脛骨が外回転しつつＯ脚などの弓脚が矯正される。
【００２５】
図３は、本発明の実施形態による体形矯正用ズボンの構造を示す正面図であり、図４は、図３のズボンの構造を示す背面図である。
【００２６】
本発明の体形矯正用ズボン１００は、生地の織密度を異ならせて製織して圧力差による回転力を生じさせる原理を利用する。ズボン１００におけるバンド状の部分を一層きめ細かく製織すれば、他の部分よりも大きな圧力が生じ、これにより、バンドの長手方向に引っ張る力が生じる。この力は、ユーザーがズボン１００を履いたときに、脚関節を回転させる力に切り換わって筋肉および骨格を所定の方向に引っ張る。
【００２７】
また、ズボン１００の生地を一体形に製織して織密度差を与えるものであるため、ズボン１００とバンドが引き離れることなく、正常的な回転力を生じさせる。なお、一体形に形成された生地の織密度を異ならせると、皮膚表面との摩擦力が増大して筋肉を所望の方向に回転させ得る力が大きくなるというメリットがある。
【００２８】
バンドが形成されていない大腿部２１、膝蓋骨２２、大臀筋２３の部分は、通常の生地により製織されて織密度が最も低い個所となる。
【００２９】
体形矯正用ズボン１００の前方の腹部には、前方の大臀筋支持バンド１０２ａが位置する。
【００３０】
前方の大臀筋支持バンド１０２ａは、下腹部から下後方に向けて左右に延び、左右に延びたバンドの両端は尻の下方において遭遇して連結されて後方の大臀筋支持バンド１０２ｂを形成する。尻の直ぐ上部には大臀筋が位置するが、後方の大臀筋支持バンド１０２ｂは大臀筋の下端部を支える。前方の大臀筋支持バンド１０２ａは前方に位置し、後方の大臀筋支持バンド１０２ｂは尻の後方に位置するため、尻の下方が下腹部に向けて斜めに持ち上げられる。
【００３１】
さらに、前方の大臀筋支持バンド１０２ａに比べて、後方の大臀筋支持バンド１０２ｂの方が相対的に高い織密度を有するように製織されるため、前方の大臀筋支持バンド１０２ａから後方の大臀筋支持バンド１０２ｂに向けて引っ張る力が生じる。これにより、大腿の最上端が外回転する力を受けることとなる。
【００３２】
前方の大臀筋支持バンド１０２ａの中央部の直ぐ下方には結合部１０４が形成され、結合部１０４から下方に向けて大腿部回転バンド１０６ａが延設される。
【００３３】
大腿部回転バンド１０６ａは、結合部１０４のある下腹部から下方に進むにつれて大腿部の外回転方向に螺旋状に回転しつつ膝（膝蓋骨）の上端まで延びる。すなわち、右脚には時計回り方向に、左脚には反時計回り方向に回転しつつ下降する螺旋状であり、大腿部回転バンド１０６ａによって右脚は時計回り方向に、左脚は反時計回り方向に外回転をする。
【００３４】
大腿部回転バンド１０６ａは、膝蓋骨の上端まで１回転しつつ下降してもよいが、必要に応じて、２−３回転しつつ下降してもよい。
【００３５】
大腿部回転バンド１０６ａは、無バンド領域に比べて高い織密度を有するように製織されるが、大臀筋支持バンド１０２ａ、１０２ｂや結合部１０４よりも相対的に低い織密度を有する。
【００３６】
また、大腿部回転バンド１０６ａの上部には中臀筋回転バンド１０８が連結される。中臀筋回転バンド１０８は、前方の中臀筋回転バンド１０８ａと、後方の中臀筋回転バンド１０８ｂとに分けられるが、前方の中臀筋回転バンド１０８ａは、大腿部回転バンド１０６ａと連結される個所に位置し、後方の中臀筋回転バンド１０８ｂは、腰の後方の中臀筋を包囲する形状を呈する。
【００３７】
２枚の中臀筋回転バンド１０８ａ、１０８ｂのうち、腰の後方に位置している後方の中臀筋回転バンド１０８ｂの織密度が一層高く製織されるので、前方の中臀筋回転バンド１０８ａから後方の中臀筋回転バンド１０８ｂに向けて外回転する力が生じる。
【００３８】
後方の中臀筋回転バンド１０８ｂは、後方の大臀筋支持バンド１０２ｂとほとんど同じ織密度を有するように製織される。
両膝の中央の膝蓋骨の周りには膝支持バンド１１０が形成される。
【００３９】
膝支持バンド１１０は、ひし形、六角形または円形のうちのいずれかの形状に製織され、膝蓋骨の周りを包囲しつつ膝を上下左右に広げる力を生じさせる。
【００４０】
膝支持バンド１１０は、大腿部回転バンド１０６ａよりは相対的に織密度が高く、且つ、後方の大臀筋支持バンド１０２ｂや後方の中臀筋回転バンド１０８ｂよりは相対的に織密度が低くなるように製織される。
さらに、大腿部回転バンド１０６ａの末端は、膝支持バンド１１０の上端に連結されるが、大腿部回転バンド１０６ａの織密度よりも膝支持バンド１１０の織密度の方が一層高いため、大腿部回転バンド１０６ａから膝支持バンド１１０への引張力が生じる。
【００４１】
膝支持バンド１１０の上端には、螺旋方向に下に回転しつつ膝の後方を回って膝支持バンド１１０の下端まで連結される後膝支持バンド１０６ｂが連結される。後膝支持バンド１０６ｂも、大腿部回転バンド１０６ａと同様に、外回転方向（右脚には時計回り方向、左脚には反時計回り方向）に回転しつつ下降するように製織される。
後膝支持バンド１０６ｂは、大腿部回転バンド１０６ａから膝支持バンド１１０への引張力をふくら脛回転バンド１０６ｃに途切れなく伝える。このため、後膝支持バンド１０６ｂは、膝支持バンド１１０と同じ織密度に製織される。
【００４２】
膝支持バンド１１０の下側端が位置している膝蓋骨の下端から下方には、ふくら脛の外回転方向に螺旋状に回転しつつ足首の直上（非腹筋の下端）まで達するふくら脛回転バンド１０６ｃが連結される。ふくら脛回転バンド１０６ｃは、大腿部回転バンド１０６ａと同じ方向に回転するが、織密度は膝支持バンド１１０よりも一層高く製織される。
【００４３】
ふくら脛回転バンド１０６ｃの下側の足首には足首支持バンド１０６ｄが連結されてふくら脛回転バンド１０６ｃを引っ張る役割を果たす。
一方、図５は、ズボンの回転方向を示す正面図であり、図６は、ズボンの回転方向を示す背面図である。
【００４４】
図５および図６に示すように、左右両側大腿部２１にはそれぞれ反時計回り方向と時計回り方向に外回転する力が働いて、股関節を中心として大腿部２１が回転しつつ弓脚が矯正される。
【００４５】
また、膝蓋骨２２を中心として外周境界線に沿って拡張される力が発生して、膝に加わる荷重を分散させる。
図７は、着用者の歩行中の外回転運動方向を示す側面図であり、着用者が本発明の体形矯正用ズボン１００を履いて歩行をするときに起こる外回転運動の方向を示している。
【００４６】
まず、図７の左側から２番目の図に示すように、着用者が歩き始めるために脚を前方に持ち上げることにより（膝の屈曲運動）、着用者の大腿回転バンドを介して臀部（大臀筋、中臀筋など）に外回転運動が起こる。歩行中の膝の屈曲運動から始まった下肢の外回転運動は膝の伸展運動に切り換わり、臀部から大腿、膝を過ぎてふくら脛を経て足首まで外回転運動が続くこととなる。このため、着用者は、歩行時に左右交互に下肢全体の外回転運動をすることとなる。
図７に図示はしないものの、着用者の後脚（左側の下肢）は、前脚（右側の下肢）と同じ方法により外回転運動をし、着用者が前に進みつつ同じ方法の外回転が左右に交互に起こる。
【００４７】
さらに、着用者が本発明の体形矯正用ズボン１００を履いて歩行をする場合、持続的に股関節を外回転させ続けるが、股関節が外回転されて前傾の骨盤が真っすぐに立てられる効果が奏される。そして、外回転筋肉（大臀筋、中臀筋、梨状筋、上双子筋、内閉鎖筋、下双子筋、大腿方形筋、外閉鎖筋）を強化して靭帯と筋肉をバランスよく発達させる。これにより、骨盤から大腿部の全体、膝、ふくら脛まで下肢全体の整列を矯めて正しい歩行と弓脚の矯正が行われる。
【００４８】
以上、添付図面に基づき、本発明の好適な実施形態を説明したが、上述した本発明の技術的構成は、本発明が属する技術分野における当業者が本発明のその技術的思想や必須的特徴を変更することなく他の具体的な形態にて実施可能であることが理解できるであろう。よって、上述した実施形態はあらゆる面で例示的なものに過ぎず、限定的なものではないと理解されるべきであり、本発明の範囲は、前記詳細な説明よりは、後述する特許請求の範囲によって開示され、特許請求の範囲の意味および範囲並びにその等価概念から導き出されるあらゆる変更または変形例が本発明の範囲に含まれるものと解釈されるべきである。
【符号の説明】
【００４９】
２１：大腿部
２２：膝蓋骨
２３：大臀筋
１００：体形矯正用ズボン
１０２：大臀筋支持バンド
１０４：結合部
１０６ａ：大腿部回転バンド
１０６ｂ：後膝支持バンド
１０６ｃ：ふくら脛回転バンド
１０６ｄ：足首支持バンド
１０８：中臀筋回転バンド
１１０：膝支持バンド
【図１】
0005836265.tif 000002
【図２】
0005836265.tif 000003
【図３】
0005836265.tif 000004
【図４】
0005836265.tif 000005
【図５】
0005836265.tif 000006
【図６】
0005836265.tif 000007
【図７】
0005836265.tif 000008